(57)【要約】【課題】この発明は、遮煙板と敷居の戸開側端部の角部との接触を回避させ、遮煙板の長寿命化を図り、低コスト化を実現できるエレベータ出入り口装置を得る。【解決手段】下部遮煙板１８が戸７の長さ方向の全域に渡って該戸７の下端から下方に延出するように取り付けられ、戸７の全閉時、敷居１３の上面１３ａに接触して戸７と敷居１３との隙間を閉塞する。また、ローラ３０が、下部遮煙板１８との接触面を敷居１３の上面１３ａより上方に位置させて、戸７の開閉方向と直交する水平軸３１周りに回転可能に敷居１３の戸開側端部１３ｃに取り付けられている。これにより、戸７の戸開側端部が敷居１３の戸開側端部１３ｃを超える戸７の開閉動作時に、下部遮煙板１８がローラ３０に乗り上げて、敷居１３の上面１３ａと戸開側端部１３ｃとが交差する角部Ａと下部遮煙板１８との間に隙間が形成される。【選択図】図６
2005082314.tif 000002
【特許請求の範囲】
【請求項１】
エレベータの出入り口を構成する上縁部および側縁部を構成する枠体と、
上記出入り口の下縁部を構成する敷居と、
上記三方枠の立面に沿って水平方向に移動して上記出入り口を開閉する戸と、
上記戸の長さ方向の全域に渡って該戸の下端から下方に延出するように取り付けられ、上記戸の全閉時、上記敷居に接触して上記戸と上記敷居との隙間を閉塞する遮煙板と、
上記戸の戸開側端部が上記敷居の戸開側端部を超える該戸の開閉動作時に、上記遮煙板が乗り上げて、該遮煙板の接触する該敷居の接触面と該敷居の戸開側端部とが交差する角部と該遮煙板との間に隙間を形成するように該敷居の戸開側端部に取り付けられた遮煙板保護部材
とを備えたことを特徴とするエレベータ出入り口装置。
【請求項２】
上記遮煙板保護部材は、上記遮煙板との接触面を該遮煙板が接触する該敷居の接触面と等しくもしくは上方に位置させて、上記戸の開閉方向と直交する水平軸周りに回転可能に上記敷居の戸開側端部に取り付けられたローラであることを特徴とする請求項１記載のエレベータ出入り口装置。
【請求項３】
上記遮煙板保護部材は、断面コ字状に折り曲げ成形され、かつ、コ字状の角部をアール形状とする金属製の曲げ板であり、該曲げ板は、上記遮煙板が接触するコ字状の底部外周面を該遮煙板が接触する該敷居の接触面と等しくもしくは上方に位置させて、上記敷居の戸開側端部に取り付けられていることを特徴とする請求項１記載のエレベータ出入り口装置。
【請求項４】
上記遮煙板保護部材は、円弧曲面形状に成形された金属製の曲げ板であり、該曲げ板は、上記遮煙板が接触する凸面の頂部を該遮煙板が接触する該敷居の接触面と等しくもしくは上方に位置させて、上記敷居の戸開側端部に取り付けられていることを特徴とする請求項１記載のエレベータ出入り口装置。
【発明の詳細な説明】
【技術分野】
【０００１】
この発明は、戸の下端と敷居との隙間を閉塞する遮煙板が戸の下端に配設されたエレベータ出入り口装置に関するものである。
【背景技術】
【０００２】
従来のエレベータ出入り口装置は、遮煙板が戸の下端に戸の長さ方向の全域に渡って配設されており、戸の全閉時に、遮煙板が敷居に接触して戸の下端と敷居との隙間を閉塞し、戸の下端と敷居との隙間を介しての乗り場と昇降路との間の煙の流通を阻止している。そして、敷居の戸開閉方向の長さを長くして、戸の全開時、戸の戸開側端部が敷居の戸開側端部を超えないようにしている。これにより、戸の全開状態からの閉動作時、遮煙板が敷居の戸開側端部の角部に擦られることを防止している（例えば、特許文献１参照）。
【０００３】
【特許文献１】特許第２７１５８２８号公報
【発明の開示】
【発明が解決しようとする課題】
【０００４】
遮煙構造をとらない既設のエレベータ出入り口装置では、敷居の戸開閉方向の長さは短く、戸の全開時、戸の戸開側端部が敷居の戸開側端部を超えるように構成されている。そこで、既設のエレベータ出入り口装置に上述の従来のエレベータ出入り口装置の遮煙構造を構築しようとする場合、既設の敷居を利用とすると、特に戸の全開状態からの閉動作時には、遮煙板が敷居の戸開側端部の角部に擦られてしまうので、遮煙板による遮煙効果を確保するためには、遮煙板の交換頻度を高くする必要があり、コスト増をもたらしてしまう、という課題があった。
また、戸の全開状態からの閉動作時における敷居の戸開側端部の角部による遮煙板の擦れを回避するためには、既設の敷居を戸開閉方向の長さの長い敷居に取り替える必要があり、敷居の撤去・設置工事、さらには壁や床の補修工事が行われ、多大なコスト増をもたらしてしまう、という課題があった。
【０００５】
この発明は、戸の開閉動作時に、遮煙板と敷居の戸開側端部の角部との接触を回避させ、遮煙板の長寿命化を図ることができるとともに、戸開閉方向長さの短い既設の敷居を利用して戸下端側の遮煙構造を低コスト化で構築できるエレベータ出入り口装置を得ることを目的とする。
【課題を解決するための手段】
【０００６】
この発明は、エレベータの出入り口を構成する上縁部および側縁部を構成する枠体と、上記出入り口の下縁部を構成する敷居と、上記三方枠の立面に沿って水平方向に移動して上記出入り口を開閉する戸と、上記戸の長さ方向の全域に渡って該戸の下端から下方に延出するように取り付けられ、上記戸の全閉時、上記敷居に接触して上記戸と上記敷居との隙間を閉塞する遮煙板と、上記戸の戸開側端部が上記敷居の戸開側端部を超える該戸の開閉動作時に、上記遮煙板が乗り上げて、該遮煙板の接触する該敷居の接触面と該敷居の戸開側端部とが交差する角部と該遮煙板との間に隙間を形成するように該敷居の戸開側端部に取り付けられた遮煙板保護部材とを備えたものである。
【発明の効果】
【０００７】
この発明によれば、戸の開閉動作時に、遮煙板が遮煙板保護部材に乗り上げて、敷居の戸開側端部の角部と遮煙板との接触が回避されるので、遮煙板の遮煙効果が長期にわたって確保され、遮煙板の交換頻度を低下させることができるとともに、戸開閉方向長さの短い既設の敷居を撤去することなく戸下端側の遮煙構造を構築でき、低コスト化が図られる。
【発明を実施するための最良の形態】
【０００８】
実施の形態１．
図１はこの発明の実施の形態１に係るエレベータ出入り口装置を示す正面図、図２は図１のＩＩ−ＩＩ矢視断面図、図３は図１のＩＩＩ−ＩＩＩ矢視断面図、図４は図１のＩＶ−ＩＶ矢視断面図、図５は図１のＶ−Ｖ矢視断面図、図６はこの発明の実施の形態１に係るエレベータ出入り口装置の敷居周りを昇降路側から見た背面図、図７はこの発明の実施の形態１に係るエレベータ出入り口装置の敷居周りを敷居の戸開側端部から見た端面図である。
【０００９】
各図において、１はエレベータの昇降路、２は昇降路１に開口する出入り口３が設けられた乗り場、４は出入り口３の上縁部および両側縁部を構成する上枠５および一対の縦枠６からなる枠体としての三方枠、７は出入り口３を開閉する戸（引き戸）である。
８は鋼材を断面コ字状に成形してなる浮かせ構造体であり、コ字状の開口側を昇降路１側に向けて、コ字状の一辺（下辺）を三方枠４の上枠５の上面にボルト２０およびナット２１により締着固定されている。９はハンガーケースであり、浮かせ構造体８のコ字状の他辺（上辺）にボルト２２およびナット２３により締着固定されて、昇降路１内の出入り口３上方に上枠５から離反して配置されている。そして、このハンガーケース９には、三方枠４の立面に沿って水平方向に延びるトラック１０が取り付けられている。１１はドアハンガーであり、ローラ１２が一端側に水平軸周りに回転自在に取り付けられ、他端がボルト２４およびナット２５により戸７の上面に締着固定されている。そして、ローラ１２がトラック１０に走行自在に掛けられて、戸７がトラック１０に吊設され、トラック１０に案内されて水平方向に移動できるようになっている。これにより、戸７は、図３および図４に示されるように、三方枠４の立面との間に隙間Ｄを有して三方枠４に対面して配置され、三方枠４に沿って水平方向に互いに反対方向に移動して出入り口３を開閉する。
【００１０】
１４は鋼材を断面Ｌ字状に成形して作製された傾斜遮煙板である。この傾斜遮煙板１４は、上枠５の長さとほぼ同じ長さを有し、中央が戸７側に位置し、かつ、両端が戸７から離れるように戸７の開閉経路に対して傾斜して、浮かせ構造体８により形成された空きスペースに位置するように上枠５の上面に密接して取り付けられている。
１５は弾性変形しやすい薄鋼板で作製された接触板である。この接触板１５は、戸７の幅（開閉方向の長さ）とほぼ同じ長さを有し、ドアハンガー１１の下端と戸７の上面との間に介装され、かつ、上枠５側に延出するようにして、ボルト２４およびナット２５によりドアハンガー１１とともに戸７に締着固着されている。そして、接触板１５は、戸７の戸当たり端側の延出長さが短く、かつ、戸７の戸袋端側の延出長さが長くなるように戸７の開閉経路に対して傾斜して戸７の上面に取り付けられている。これにより、戸７の全閉時、接触板１５が弾性変形して傾斜遮煙板１４のＬ字状の起立片に接触し、上枠５と戸７との隙間Ｄが閉塞される。
【００１１】
１６は鋼板をＬ字状に折り曲げ成形して作製され、戸７の高さとほぼ同じ高さを有する固定金具であり、そのＬ字状の一辺を戸７の戸袋側端面にボルト２６およびナット２７により締着固定されている。１７は弾性変形しやすい薄鋼板で作製され、固定金具１６とほぼ同じ高さを有する側縁部遮煙板であり、その一端をボルト２８およびナット２９により固定金具１６のＬ字状の他辺に締着固定されて戸７の開閉方向と直交して配置されている。そして、戸７の全閉時に、側縁部遮煙板１７が、弾性変形して三方枠４の縦枠６の外壁面に接触し、縦枠６と戸７との隙間Ｄが閉塞される。
【００１２】
１８は戸７の幅（開閉方向の長さ）とほぼ同じ長さに作製され、戸７の下端から下方に延出するように取り付けられたエチレンプロピレンゴム等の耐熱性ゴムからなる下部遮煙板であり、この下部遮煙板１８は敷居１３の上面１３ａに接触して、敷居１３と戸７の下端との隙間Ｅが閉塞される。１９は戸７の下端に取り付けられた戸の脚であり、この戸の脚１９は敷居１３の溝１３ｂ内に挿入され、溝１３ｂに係合して戸７の開閉動作における戸７の下端側の揺動を抑制する。３０は遮煙板保護部材としての金属製のローラであり、このローラ３０は、下部遮煙板１８との接触面を下部遮煙板１８が接触する敷居１３の上面１３ａ（接触面）より上方に位置させて、戸７の開閉方向と直交する水平軸３１周りに回転可能に敷居１３の戸開側端部１３ｃに取付金具３２により取り付けられている。
【００１３】
このように構成されたエレベータ出入り口装置においては、ローラ１２がトラック１０に案内されて走行し、２枚の戸７が開閉動作する。そして、戸７の全閉時（２枚の戸７が戸当たり状態に当接している時）には、接触板１５が弾性変形して傾斜遮煙板１４のＬ字状の起立片に接触し、上枠５と戸７との隙間Ｄが閉塞される。また、側縁部遮煙板１７が、弾性変形して三方枠４の縦枠６の外壁面に接触し、縦枠６と戸７との隙間Ｄが閉塞される。さらに、下部遮煙板１８が敷居１３の上面１３ａに接触して、敷居１３と戸７の下端との隙間Ｅが閉塞される。
また、戸７の戸開側端部が敷居１３の戸開側端部１３ｃを超える戸７の開閉動作時には、下部遮煙板１８は、ローラ３０を回転させつつ、かつ、弾性変形しつつローラ３０の外周面に乗り上げる。そして、ローラ３０の外周面の最上位置は、敷居１３の上面１３ａより上方に位置している。そこで、ローラ３０の外周面に乗り上げた下部遮煙板１８の部位の弾性変形により、下部遮煙板１８は、敷居１３ｂの上面１３ａと戸開側端部１３ｃとの交差部位である角部Ａから離間している。
【００１４】
この実施の形態１によれば、戸７の全閉時に、上枠５と戸７との隙間Ｄ、縦枠６と戸７との隙間Ｄ、さらには、敷居１３と戸７の下端との隙間Ｅがそれぞれ閉塞される。そこで、建物の火災時に、建物内の煙が昇降路１内に進入したり、昇降路１から乗り場２に流出して建物に広がることが防止される。
また、ローラ３０が、その外周面の頂部を敷居１３の上面１３ａより上方に位置させて、戸７の開閉方向と直交する水平軸３１周りに回転可能に敷居１３の戸開側端部１３ｃに取り付けられているので、戸７の開閉動作時に、下部遮煙板１８がローラ３０に乗り上げ、下部遮煙板１８と敷居１３の角部Ａとの間に隙間を形成することができる。そこで、戸７の開閉動作時に、下部遮煙板１８が敷居１３の角部Ａに擦られることが未然に防止され、下部遮煙板１８の遮煙効果が長期にわたって確保され、下部遮煙板１８の交換頻度を低下させることができる。また、遮煙板保護部材がローラ３０であるので、下部遮煙板１８が乗り上げる際にローラ３０が回転し、下部遮煙板１８の損傷の発生が防止される。さらに、ローラ３０は既設の敷居１３に取り付けることができるので、本遮煙構造を付設する際には、敷居１３の撤去・設置工事、さらには敷居１３の撤去に伴う壁や床の補修工事が不要となり、低コストで遮煙構造を構築することができる。
【００１５】
なお、この実施の形態１による遮煙構造においては、浮かせ構造体８がコ字状の開口側を昇降路１側に向けて三方枠４の上枠５の上面にボルト２０およびナット２１により締着固定されているので、傾斜遮煙板１４を取り付けるスペースを上枠５の上面に形成することができる。そこで、既設のエレベータ出入り口装置に遮煙構造を付設する場合、既設の敷居１３に加えて既設の三方枠４も利用できる。これにより、三方枠４、敷居１３の撤去・設置工事、さらには三方枠４、敷居１３の撤去に伴う壁の補修工事が不要となり、低コストで遮煙構造を構築することができる。また、建築構造への制約がなく、高い自由度で乗り場２のスペースを使用することができ、さらに美観が損なわれることもない。
【００１６】
実施の形態２．
図８はこの発明の実施の形態２に係るエレベータ出入り口装置の敷居周りを昇降路側から見た背面図である。
図８において、遮煙板保護部材としての曲げ板３５は、金属板をコ字状に曲げ成形して作製され、コ字状の底辺と各側辺との交差部がアール形状に成形されている。この曲げ板３５は、下部遮煙板１８が接触するコ字状の底部外周面３５ａを敷居１３の上面１３ａ（接触面）より上方に位置させて、敷居１３の戸開側端部１３ｃに取り付けられている。
なお、他の構成は上記実施の形態１と同様に構成されている。
【００１７】
この実施の形態２では、戸７の全閉時には、下部遮煙板１８が敷居１３の上面１３ａに接触して、敷居１３と戸７の下端との隙間Ｅが閉塞される。また、戸７の戸開側端部が敷居１３の戸開側端部１３ｃを超える戸７の開閉動作時には、下部遮煙板１８は、曲げ板３５の底部外周面３５ａ上を摺動しつつ、かつ、弾性変形しつつ曲げ板３５の底部外周面３５ａに乗り上げる。そして、曲げ板３５の底部外周面３５ａの最上位置は、敷居１３の上面１３ａより上方に位置している。そこで、曲げ板３５の底部外周面３５ａに乗り上げた下部遮煙板１８の部位の弾性変形により、下部遮煙板１８は、敷居１３ｂの上面１３ａと戸開側端部１３ｃとの交差部位である角部Ａから離間している。
【００１８】
従って、この実施の形態２においても、戸７の全閉時に、上枠５と戸７との隙間Ｄ、縦枠６と戸７との隙間Ｄ、さらには、敷居１３と戸７の下端との隙間Ｅがそれぞれ閉塞される。そこで、建物の火災時に、建物内の煙が昇降路１内に進入したり、昇降路１から乗り場２に流出して建物に広がることが防止される。
また、戸７の開閉動作時には、下部遮煙板１８は、曲げ板３５の底部外周面３５ａに乗り上げ、下部遮煙板１８は、敷居１３ｂの上面１３ａと戸開側端部１３ｃとの交差部位である角部Ａから離間している。そこで、戸７の開閉動作時に、下部遮煙板１８が敷居１３の角部Ａに擦られることが未然に防止され、下部遮煙板１８の遮煙効果が長期にわたって確保され、下部遮煙板１８の交換頻度を低下させることができる。
また、曲げ板３５のコ字状の底辺と各側辺との交差部がアール形状に成形されているので、下部遮煙板１８が接触する底部外周面３５ａには角部がない。そこで、下部遮煙板１８はスムーズに底部外周面３５ａに乗り上げ、下部遮煙板１８の傷の発生が抑えられ、下部遮煙板１８の遮煙効果が長期にわたって確保される。
【００１９】
実施の形態３．
図９はこの発明の実施の形態３に係るエレベータ出入り口装置の敷居周りを昇降路側から見た背面図である。
図９において、遮煙板保護部材としての曲げ板３６は、金属板を円弧状に曲げ成形して作製されている。この曲げ板３６は、下部遮煙板１８が接触する円弧状の凸面３６ａの頂部を敷居１３の上面１３ａ（接触面）より上方に位置させて、敷居１３の戸開側端部１３ｃに取り付けられている。
なお、他の構成は上記実施の形態１と同様に構成されている。
【００２０】
この実施の形態３では、戸７の全閉時には、下部遮煙板１８が敷居１３の上面１３ａに接触して、敷居１３と戸７の下端との隙間Ｅが閉塞される。また、戸７の戸開側端部が敷居１３の戸開側端部１３ｃを超える戸７の開閉動作時には、下部遮煙板１８は、曲げ板３６の凸面３６ａ上を摺動しつつ、かつ、弾性変形しつつ曲げ板３６の凸面３６ａに乗り上げる。そして、曲げ板３６の凸面３６ａの頂部は、敷居１３の上面１３ａより上方に位置している。そこで、曲げ板３６の凸面３６ａに乗り上げた下部遮煙板１８の部位の弾性変形により、下部遮煙板１８は、敷居１３ｂの上面１３ａと戸開側端部１３ｃとの交差部位である角部Ａから離間している。
【００２１】
従って、この実施の形態３においても、戸７の全閉時に、上枠５と戸７との隙間Ｄ、縦枠６と戸７との隙間Ｄ、さらには、敷居１３と戸７の下端との隙間Ｅがそれぞれ閉塞される。そこで、建物の火災時に、建物内の煙が昇降路１内に進入したり、昇降路１から乗り場２に流出して建物に広がることが防止される。
また、戸７の開閉動作時には、下部遮煙板１８は、曲げ板３６の凸面３６ａに乗り上げ、下部遮煙板１８は、敷居１３ｂの上面１３ａと戸開側端部１３ｃとの交差部位である角部Ａから離間している。そこで、戸７の開閉動作時に、下部遮煙板１８が敷居１３の角部Ａに擦られることが未然に防止され、下部遮煙板１８の遮煙効果が長期にわたって確保され、下部遮煙板１８の交換頻度を低下させることができる。
また、曲げ板３６の凸面３６ａが円弧状の曲面に成形されているので、下部遮煙板１８が接触する凸面３６ａには角部がない。そこで、下部遮煙板１８はスムーズに凸面３６ａに乗り上げ、下部遮煙板１８の傷の発生が抑えられ、下部遮煙板１８の遮煙効果が長期にわたって確保される。
【００２２】
なお、上記各実施の形態では、両開きする戸を有するエレベータ出入り口装置について説明しているが、本発明は、片開きする戸を有する出入り口装置に適用しても同様の効果が得られる。
また、上記各実施の形態では、乗り場側のエレベータ出入り口装置について説明しているが、本発明は、かご側の出入り口装置に適用しても同様の効果が得られる。
また、上記各実施の形態では、ローラ３０および曲げ板３５、３６の下部遮煙板１８との接触面が、高さ方向に関して敷居１３の下部遮煙板１８との接触面（上面１３ａ）より上方に位置するものとして説明しているが、ローラ３０、曲げ板３５、３６の下部遮煙板１８との接触面と、敷居１３の下部遮煙板１８との接触面（上面１３ａ）との高さ方向における位置関係は、下部遮煙板１８が敷居１３ｂの上面１３ａと戸開側端部１３ｃとの交差部位である角部Ａから離間していればよく、例えば、ローラ３０、曲げ板３５、３６の下部遮煙板１８との接触面が、敷居１３の下部遮煙板１８との接触面（上面１３ａ）と等しい高さ位置であってもよい。
また、上記各実施の形態では、下部遮煙板１８が敷居１３の上面１３ａに密接するものとしているが、下部遮煙板１８が敷居１３の溝１３ｂ内に収納され、溝１３ｂの底面に密接するようにしてもよい。この場合、下部遮煙板１８が接触する敷居１８の接触面は溝１３ｂの底面となる。さらに、遮煙板保護部材は下部遮煙板１８との接触面が敷居１３の溝１３ｂの底面より上方に位置するように敷居１３の戸開側端部１３ｃに取り付けることになる。
また、上記各実施の形態では、下部遮煙板１８が耐熱性ゴムで作製されているものとしているが、下部遮煙板は耐熱性ゴムに限定されるものではなく、弾性を有する耐熱材料であればよく、例えばグラスウールをガラスクロスで巻いたもの、グラスファイバー等を用いてもよい。
【図面の簡単な説明】
【００２３】
【図１】この発明の実施の形態１に係るエレベータ出入り口装置を示す正面図である。
【図２】図１のＩＩ−ＩＩ矢視断面図である。
【図３】図１のＩＩＩ−ＩＩＩ矢視断面図である。
【図４】図１のＩＶ−ＩＶ矢視断面図である。
【図５】図１のＶ−Ｖ矢視断面図である。
【図６】この発明の実施の形態１に係るエレベータ出入り口装置の敷居周りを昇降路側から見た背面図である。
【図７】この発明の実施の形態１に係るエレベータ出入り口装置の敷居周りを敷居の戸開側端部から見た端面図である。
【図８】この発明の実施の形態２に係るエレベータ出入り口装置の敷居周りを昇降路側から見た背面図である。
【図９】この発明の実施の形態３に係るエレベータ出入り口装置の敷居周りを昇降路側から見た背面図である。
【符号の説明】
【００２４】
３  出入り口、４  三方枠（枠体）、７  戸、１３  敷居、１３ａ  上面（接触面）、１３ｃ  戸開側端部、１８  下部遮煙板、３０  ローラ（遮煙板保護部材）、３１  水平軸、３５、３６  曲げ板（遮煙板保護部材）、３５ａ  底部外周面、３６ａ  凸面。
【図１】
2005082314.tif 000003
【図２】
2005082314.tif 000004
【図３】
2005082314.tif 000005
【図４】
2005082314.tif 000006
【図５】
2005082314.tif 000007
【図６】
2005082314.tif 000008
【図７】
2005082314.tif 000009
【図８】
2005082314.tif 000010
【図９】
2005082314.tif 000011